(57)【特許請求の範囲】
【請求項１】
複数のパイプを連結して構成する杖本体と、
杖本体の上端に連接され弾性体から成る略球状の握り玉部と、
該握り玉部の下方の杖本体の周囲に弾性体から成り、該弾性体が巻回された如く形成された第一のグリップ部と、
該第一のグリップ部のさらに下方の杖本体の周囲に弾性体から成り、該弾性体が巻回された如く形成された第二のグリップ部と、
杖本体の下端に連接した石突部と、を備え、
第二のグリップ部の下方であって杖本体の略中央部で下側パイプがクッション部材Ａを介して上側パイプ内に摺動自在に連接され、
石突部を杖本体の下端に対してクッション部材Ｂを介して上下動可能に連接し、
握り玉部及び第一のグリップ部を脇に挟み、該脇側の手で第二のグリップ部を握る如く形成されている、
ことを特徴とする衝撃吸収杖。
【請求項２】
クッション部材Ａ及びクッション部材Ｂはコイルスプリングであることを特徴とする請求項１記載の衝撃吸収杖。
【請求項３】
クッション部材Ｂは複数のコイルスプリングから成り、該複数のコイルスプリングは杖本体の長尺方向と同一方向であって且つ互いに並行して設けられ、石突部が杖本体の下端に対して揺動自在に形成されていることを特徴とする請求項１または請求項２に記載の衝撃吸収杖。
【請求項４】
握り玉部の表面に複数の突起が設けられていることを特徴とする請求項１乃至請求項３のいずれかに記載の衝撃吸収杖。
【請求項５】
複数のパイプは上側パイプと下側パイプの２本から成ることを特徴とする請求項１乃至請求項４のいずれかに記載の衝撃吸収杖。
【発明の詳細な説明】
【技術分野】
【０００１】
本発明は、体重をある程度掛けた状態で歩行する際に使用する杖に関し、特には該杖が体重を支える際に床面等からの抗力として伝え反す衝撃力を吸収する衝撃吸収杖に関する。
【背景技術】
【０００２】
従来、床面からの衝撃を和らげる杖として、杖の先端部にバネスプリング式のクッションを設けたバネスプリングのクッション杖が提案されている（特許文献１）。
【０００３】
また、衝撃緩衝杖として、頂部に取手を備え、下端部に開口部を有する大径の中空円筒部材製の上パイプと、前記上パイプの前記開口部内に挿通でき、かつ前記大径の中空円筒部材製の上パイプの内径部に沿って摺動嵌合する小径の中空円筒形部材製の下パイプと、この下パイプの下端に取付けた接地用石突とより成り、上パイプに設けた長さ調節用の多数の孔に対し、下パイプの上部に突設した摺動駒体に出没自在に設けた係止ピンを係脱自在に配設する長さ調節位置決め機構を設けると共に、前記摺動駒体には下パイプの開口部から内部に向けてコイルスプリングを介して伸縮自在の杆体を設けた接地衝撃緩衝機構を設けて成ることを特徴とする長さ調節可能な衝撃緩衝杖が提案されている（特許文献２）。
【０００４】
さらには、衝撃吸収性に優れ、安定性にも優れたステッキとして、杆状のステッキ本体に把持部を配設してなるステッキにおいて、ステッキ本体は、外筒と中筒を入れ子状に嵌合してなるテレスコピック式の伸縮管を備えており、前記伸縮管の内部には、伸縮管を伸長方向に付勢する圧縮ばねと、外筒と中筒の相対摺動を減衰させる速度依存性のダンパーとが並列に接続されていることを特徴とするステッキが提案されている（特許文献３）。
【先行技術文献】
【特許文献】
【０００５】
【特許文献１】特開２００３−９３１２０号公報
【特許文献２】特開２００７−１４３９５号公報
【特許文献３】特開２０１１−５６１５９号公報
【０００６】
しかしながら、これらのクッション杖、衝撃緩衝杖、ステッキは、歩行の際のバランスを維持する等の歩行の助けとして使用する際の床や地面等からの衝撃を和らげるのに適してはいても、杖本体に体重をある程度掛けた状態で歩行する際に、該杖が床面等からの抗力として伝え反す大き目の衝撃力を吸収するには十分ではない場合があるという課題がある。また、衝撃を吸収する際に作用する部材の摺動や変形の程度が小さめであるため、全体として、これらの杖を使って体重をある程度掛けた状態で歩行すると、床面等からの衝撃が大きく、スムーズに歩行動作を行うことが難しい場合があるという課題がある。
【発明の概要】
【発明が解決しようとする課題】
【０００７】
本発明が解決しようとする課題は、杖本体に体重をある程度掛けた状態で歩行しても、床面等からの抗力として伝え反される衝撃力を十分に吸収し、スムーズに歩行動作を行うことが出来る衝撃吸収杖を提供することにある。
【課題を解決するための手段】
【０００８】
上記課題を解決するため、請求項１記載の発明は、複数のパイプを連結して構成する杖本体と、
杖本体の上端に連接され弾性体から成る略球状の握り玉部と、
該握り玉部の下方の杖本体の周囲に弾性体から成り、該弾性体が巻回された如く形成された第一のグリップ部と、
該第一のグリップ部のさらに下方の杖本体の周囲に弾性体から成り、該弾性体が巻回された如く形成された第二のグリップ部と、
杖本体の下端に連接した石突部と、を備え、
第二のグリップ部の下方であって杖本体の略中央部で下側パイプがクッション部材Ａを介して上側パイプ内に摺動自在に連接され、
石突部を杖本体の下端に対してクッション部材Ｂを介して上下動可能に連接し、
握り玉部及び第一のグリップ部を脇に挟み、該脇側の手で第二のグリップ部を握る如く形成されている、
ことを特徴とする衝撃吸収杖を提供する。
【０００９】
また、請求項２記載の発明は、クッション部材Ａ及びクッション部材Ｂはコイルスプリングであることを特徴とする請求項１記載の衝撃吸収杖を提供する。
【００１０】
また、請求項３記載の発明は、クッション部材Ｂは複数のコイルスプリングから成り、該複数のコイルスプリングは杖本体の長尺方向と同一方向であって且つ互いに並行して設けられ、石突部が杖本体の下端に対して揺動自在に形成されていることを特徴とする請求項１または請求項２に記載の衝撃吸収杖を提供する。
【００１１】
また、請求項４記載の発明は、握り玉部の表面に複数の突起が設けられていることを特徴とする請求項１乃至請求項３のいずれかに記載の衝撃吸収杖を提供する。
【００１２】
また、請求項５記載の発明は、複数のパイプは上側パイプと下側パイプの２本から成ることを特徴とする請求項１乃至請求項４のいずれかに記載の衝撃吸収杖を提供する。
【発明の効果】
【００１３】
本発明の衝撃吸収杖は、杖本体の上端には弾性体から成る略球状の握り玉部が連接され、その下方の杖本体の周囲には弾性体が巻回された如く形成された第一のグリップ部が設けられているため、握り玉部及び該第一のグリップ部を脇に挟んで、確実に杖本体を体に固定することが出来る効果がある。
【００１４】
その上で、第一のグリップ部のさらに下方に設けられた第二のグリップ部を、握り玉部及び第一のグリップ部を挟んでいる側の手で、確実に握ることが出来、さらに本発明の衝撃吸収杖を体に確実に固定することが出来る効果がある。
【００１５】
本発明の衝撃吸収杖は、上記のように体に確実に固定することが出来るため、杖本体にほぼすべての体重に近いある程度の体重を掛けることが出来る効果があり、身体が不自由な人が安心して使うことが出来る効果がある。またこのような使用方法により、背筋が伸びるため、背骨が曲がるのを防止できる効果がある。
【００１６】
また、杖本体の略中央部は、下側パイプがクッション部材Ａを介して上側パイプ内を摺動するように形成され、またこれに加えて石突部が杖本体下端に対してクッション部材Ｂを介して上下動可能に形成されているため、ほぼすべての体重が掛けられた杖本体が、床面からの抗力として人体に伝え反す衝撃力が、少なくとも２か所にあるクッション部材Ａとクッション部材Ｂによって（仮に杖本体が３本のパイプで連結して構成されている場合はクッション部材Ａが２カ所と、クッション部材Ｂの計３カ所にあるクッション部材によって）十分に吸収される効果がある。またほぼすべての体重が掛けられた杖本体がクッション部材Ａとクッション部材Ｂの収縮により全体として収縮し、その反動として得られる伸長によって、ほぼすべての体重を掛けて歩行する際にも、スムーズに歩行することが出来る効果がある。
【００１７】
仮に、床面から反力として人体に伝え反される衝撃力が少なくとも２カ所のクッション部材Ａ及びクッション部材Ｂによって吸収されない場合があったとしても、握り玉部、第一のグリップ部及び第二のグリップ部の弾性力によって吸収されていない衝撃力を吸収することが出来る効果がある。
【００１８】
また請求項３記載の衝撃吸収杖は、クッション部材Ｂが複数のコイルスプリングから成り、該複数のコイルスプリングは杖本体の長尺方向と同一方向であって且つ互いに並行して設けられているため、石突部は杖本体の下端に対して上下動すると共に前後左右に揺動する効果があり、杖本体が床面に対して垂直状態でなくても石突部の下面全体が常に床面と接している状態とすることが出来る効果がある。これにより石突部が床面を滑ることがなく確実に床面を捉え、結果として、ほぼすべての体重を掛けて歩行する際にも、スムーズに歩行することが出来る効果がある。
【００１９】
また請求項４記載の衝撃吸収杖は、握り玉部の表面に複数の突起が設けられていて、該握り玉部を上記のように脇に挟んだ際に、脇の下に確実に固定されるか、少なくとも脇の下から滑って外れることが無く、結果として上記同様ほぼすべての体重を掛けて歩行する際にも、スムーズに歩行することが出来る効果がある。
【００２０】
特に請求項４の構成とした請求項３の衝撃吸収杖は、クッション部材Ｂによる石突部の揺動効果と握り玉部の表面の複数の突起による効果が相乗的に作用し、杖本体にほぼすべての体重を掛けて歩行する際の歩行動作は著しくスムーズであるという効果がある。
【図面の簡単な説明】
【００２１】
【図１】本発明に係る衝撃吸収杖の一実施例の全体斜視図である。
【図２】本発明に係る衝撃吸収杖の一実施例の略中央部の断面状態図である。
【図３】本発明に係る衝撃吸収杖の一実施例の石突部付近の断面状態図である。
【図４】請求項３に係る衝撃吸収杖の一実施例の石突部付近の断面状態図である。
【図５】請求項３に係る衝撃吸収杖の一実施例の石突部付近の平面状態図である。
【図６】請求項３に係る衝撃吸収杖の一実施例の石突部が揺動する状態を示す断面状態図である。
【図７】請求項３に係る衝撃吸収杖の一実施例の石突部が揺動する状態を示す断面状態図である。
【図８】本発明に係る衝撃吸収杖を使用している状態を示す状態図である。
【発明を実施するための形態】
【００２２】
次に本発明に係る衝撃吸収杖を実施するための形態に関し、図１乃至図８に基づき詳細に説明する。
【実施例】
【００２３】
図１は、本発明に係る衝撃吸収杖の一実施例の全体斜視図であり、１は複数のパイプを連結して構成された杖本体であり、本実施例では杖本体１は上側パイプ１ａと下側パイプ１ｂの２本が連結されることで構成されている。該杖本体１の上側パイプ１ａの上端には、弾性体から成り略球状であって手で握れる程度の大きさであり、且つ脇に挟んでしっかりと固定できる程度の大きさの握り玉部２が、連接され固着されている。
【００２４】
握り玉部２の表面には複数であり多数の突起２ａが設けられていて、該握り玉部２を脇に挟んだ際に容易に脇から滑って外れることが無いように形成している。
【００２５】
握り玉部２の下方の上側パイプ１ａの上部には板状の弾性体が巻回された如く形成された第一のグリップ部３が設けられ、該第一のグリップ部３の下方の上側パイプ１ａの略中央部には同様に板状の弾性体が巻回された如く形成された第二のグリップ部４が設けられている。第一のグリップ部３及び第二のグリップ部４には複数の凹み３ａ、凹み４ａが形成され、第一のグリップ部３又は第二のグリップ部を握った際にこの凹み３ａ、凹み４ａが指にフィットして杖本体１をしっかりと手に握ることが出来るように成っている。特に第一のグリップ部３及びこれに形成された凹み３ａは、本発明の衝撃吸収杖を、下記に示す脇に挟んで使用するという方法ではなく、普通に第一のグリップ部３を横方向から手で握った際に、本発明の衝撃吸収杖をしっかりと握ることが出来る効果がある。
【００２６】
該第二のグリップ部４の下方であって、上側パイプ１ａ内には図２の断面状態図に示されるように、クッション部材Ａであるコイルスプリング５が内蔵された状態で下側パイプ１ｂが内接されていて、下側パイプ１ｂはコイルスプリング５の伸縮により上側パイプ１ａに内接状態で上下に摺動し、下側パイプ１ｂに下側から加わる衝撃力を該コイルスプリング５の弾性力により吸収するように成っている。
【００２７】
下側パイプ１ｂの下端には、図３に示すように石突部６がクッション部材Ｂであるコイルスプリング７を介して下側パイプ１ｂ内に内接されていて、石突部６はコイルスプリング７の伸縮により下側パイプ１ｂ内を上下に摺動し、石突部６に加わる衝撃力をコイルスプリング７の弾性力により吸収するように成っている。なお、石突部６全体を弾性体であるゴム等で形成してもよいのは勿論である。この場合石突部６に加わる衝撃力は、コイルスプリング７だけでなく、弾性体としての石突部６自身でも吸収することが出来る。
【００２８】
下側パイプ１ｂの下端には、図４乃至図７に示すようにクッション部材Ｂとして複数のコイルスプリング１７を設け（図４乃至図７では４本のコイルスプリング１７）、該コイルスプリング１７を介して石突部６を杖本体１の下端に対して上下動可能に連接しても良く、この場合石突部６は図６及び図７に示すように前後左右に揺動する。なお図４、図６、図７で示される９は下側パイプ１ｂの下端に固着される円盤状のフランジ部である。
【００２９】
４本のコイルスプリング１７は杖本体１の長尺方向と同一方向であって且つ互いに並行して設けられていて、詳しくは図５に示すように、平面視において杖本体１を中心にして略均等の９０度間隔に配設されている。本実施例ではコイルスプリング１７は４本設けているが前後左右に石突部６が揺動すればコイルスプリング１７は２本以上であれば良い。２本以上とすることで石突部６は杖本体１の下端に対してスムーズに揺動する。
【００３０】
本実施例では、杖本体１が上側パイプ１ａと下側パイプ１ｂの２本を連結することで構成しているが、杖本体１を３本以上のパイプを連結することで構成することもでき、この場合石突部６は最も下側のパイプの下端に、上記のようにクッション部材Ｂであるコイルスプリング７又はコイルスプリング１７等を介して上下動可能に連接する。石突部６の床面等と接する下面は、図示してはいないが凹凸を形成して滑りにくくすることが好ましい。
【００３１】
なお、クッション部材であるコイルスプリング５、７又は１７は一つの実施例であり、他の弾性体を用いてもよく、また図２及び図３に示した構成も同様に一つの実施例であり、図２では下側パイプ１ｂが上側パイプ１ａ内を摺動自在となればどのような構成であってもよく、また石突部６も杖本体１である下側パイプ１ｂの下端に対してクッション部材Ｂを介して上下動可能に形成されていれば、他のどのような構成であってもよいのは勿論である。
【００３２】
また、図４、図６及び図７において８はコイルスプリング１７の下部を支える例えばポリウレタンゴム等の板状のクッション部材Ｃであり、該クッション部材Ｃを加えることによって、さらに衝撃を吸収する効果が高まる。
【００３３】
以上のように形成された本発明の衝撃吸収杖は、主として図８に示されるような使い方を行い、握り玉部２及び第一のグリップ部３を脇の下で挟むように体に固定し、該脇側の手で第二のグリップ部４をしっかりと握ることにより、さらに体にしっかりと固定される。こうすることによって、本発明の衝撃吸収杖全体に体重のほぼ全てを掛けることが容易に行うことができ、この際、本発明の衝撃吸収杖は、床面にほぼ垂直に立てられた状態に自然と成り、この状態で歩行すると、歩行に際して床面等に加重されるほぼ全ての体重による衝撃を、杖本体１の略中央部及び石突部６に設けられたクッション部材Ａ及びクッション部材Ｂであるコイルスプリング５及び７（又は１７）によって効率良く吸収することができる。
【００３４】
以上の説明で明らかなように、本発明である衝撃吸収杖は、全体として一本の棒状となっていることにも大きな特徴があり、これにより、体重のほぼ全てを杖本体１に掛けようとすれば、自ずと図４の使い方になり、この使い方をすれば、本発明で設けられた少なくとも２か所のクッション部材Ａ及びクッション部材Ｂにより効率よく床面からの衝撃を吸収することが出来る。さらには、第一のグリップ部３及び第二のグリップ部４及び握り玉部２は弾性体によって形成されているため、仮に全ての衝撃力が少なくとも２カ所のクッション部材Ａ及びクッション部材Ｂで吸収されなくても、これらの３カ所に設けられた弾性体によりその衝撃が吸収されることになり、本発明に係る衝撃吸収杖は床面から伝え反される衝撃力のすべてを吸収する。
【００３５】
なお、本実施例では２本のパイプにより杖本体１を構成しているが、３本以上のパイプで杖本体１を構成してもよいのは上記のとおりである。この場合、すべての上側位置にあるパイプに対して下側位置にあるパイプをクッション部材を介して上側位置にあるパイプ内に摺動自在に連接すれば、パイプの本数を増やした分、クッション部材Ａの数が増えることになり、さらに床面からの衝撃力を吸収する量を大きくすることが出来る。
【符号の説明】
【００３６】
１  杖本体
１ａ  上側パイプ
１ｂ  下側パイプ
２  握り玉部
２ａ  突起
３  第一のグリップ部
３ａ  凹み
４  第二のグリップ部
４ａ  凹み
５  コイルスプリング
６  石突部
７  コイルスプリング
８  クッション部材Ｃ
９  フランジ部
１７  コイルスプリング
【要約】      （修正有）【課題】杖本体に体重をある程度掛けた状態で歩行しても、床面等からの抗力として伝え反される衝撃力を十分に吸収し、スムーズに歩行動作を行うことが出来る衝撃吸収杖を提供する。【解決手段】複数のパイプを連結して構成する杖本体１と、杖本体１の上端に連接され弾性体から成る略球状の握り玉部２と、該握り玉部２の下方の杖本体１の周囲に弾性体から成り、該弾性体が巻回された如く形成された第一のグリップ部３と、該第一のグリップ部３のさらに下方の杖本体１の周囲に弾性体から成り、該弾性体が巻回された如く形成された第二のグリップ部４と、杖本体１の下端に連接した石突部６と、を備え、第二のグリップ部４の下方であって杖本体１の略中央部で下側パイプ１ｂがクッション部材を介して上側パイプ１ａ内に摺動自在に連接され、石突部６を杖本体１の下端に対してクッション部材を介して上下動可能に連接した、ことを特徴とする衝撃吸収杖である。【選択図】図１【図１】
0006644391.tif 000002
【図２】
0006644391.tif 000003
【図３】
0006644391.tif 000004
【図４】
0006644391.tif 000005
【図５】
0006644391.tif 000006
【図６】
0006644391.tif 000007
【図７】
0006644391.tif 000008
【図８】
0006644391.tif 000009